(57)【要約】      （修正有）【課題】取付けが容易で、温度調整も楽にでき、使用中に移動したりするのを効率よく阻止することができる治療用ベルトを提供する。【解決手段】  内部に保冷剤１１あるいは保温剤が着脱可能に収納することができる背面が伝熱可能に形成された収納容器８と、この収納容器の両端部に取付けられた手や足に取付けることができるベルト５とで治療用ベルトを構成される。【選択図】  図１
2008055081.tif 000002
【特許請求の範囲】
【請求項１】
内部に保冷剤あるいは保温剤が着脱可能に収納することができる背面が伝熱可能に形成された収納容器と、この収納容器の両端部に取付けられた手や足に取付けることができるベルトとからなることを特徴とする治療用ベルト。
【請求項２】
内部に保冷剤あるいは保温剤が着脱可能に収納することができる背面が開口された収納容器と、この収納容器の両端部に取付けられた手や足に取付けることができるベルトとからなることを特徴とする治療用ベルト。
【請求項３】
内部に保冷剤あるいは保温剤が収納することができる上面が開口し、底面に透孔を有する収納容器本体、この収納容器本体の開口部を開閉することができるように取付けられた蓋とからなる収納容器と、この収納容器の収納容器本体の両端部に取付けられた手や足に取付けることができるベルトとからなることを特徴とする治療用ベルト。
【発明の詳細な説明】
【技術分野】
【０００１】
本発明は手や足を冷却したり、保温する場合に使用される治療用ベルトに関する。
【背景技術】
【０００２】
従来、手や足を冷却したり、保温する場合、保冷剤や保温剤を冷却や保温する部位に位置させ、タオルやガーゼで保持できるように取付けている。
【０００３】
このため、取付けに手数がかかったり、温度調整が面倒であるという欠点があるとともに、保冷剤や保温剤が使用中に移動しやすいというという欠点があった。
【特許文献１】特になし
【発明の開示】
【発明が解決しようとする課題】
【０００４】
本発明は以上のような従来の欠点に鑑み、取付けが容易で、温度調整も楽にでき、使用中に移動したりするのを効率よく阻止することができる治療用ベルトを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は内部に保冷剤あるいは保温剤が着脱可能に収納することができる背面が伝熱可能に形成された収納容器と、この収納容器の両端部に取付けられた手や足に取付けることができるベルトとで治療用ベルトを構成している。
【発明の効果】
【０００７】
以上の説明から明らかなように、本発明にあっては次に列挙する効果が得られる。
【０００８】
（１）内部に保冷剤あるいは保温剤が着脱可能に収納することができる背面が伝熱可能に形成された収納容器と、この収納容器の両端部に取付けられた手や足に取付けることができるベルトとで構成されているので、収納容器内に保冷剤、あるいは保温剤を収納して、手や足の保冷あるいは保温したい部位にベルトで取付けて使用することができる。
したがって、簡単に取付けて使用することができる。
【０００９】
（２）前記（１）によって、保冷剤あるいは保温剤を収納容器内に収納するので、見苦しくなることなく、楽しく使用することができる。
【００１０】
（３）前記（１）によって、ベルトで手や足に取付けるので、容易に取付けることができるとともに、使用中に移動したりするのを効率よく阻止することができる。
【００１１】
（４）請求項２、３も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図５に示す本発明を実施するための最良の第１の形態において、１は手や足の保冷あるいは保温したい部位に取付けて使用することができる本発明の治療用ベルトで、この治療用ベルト１は内部に保冷剤あるいは保温剤が着脱可能に収納することができる収納容器２と、この収納容器２の両端部に取付けられた手や足に取付けることができる先端部に係止具３と係止片４が取付けられたベルト５とで構成されている。
【００１４】
前記収納容器２は上部に開口部６が形成され、底面が熱伝導のよい材質で、かつ複数個の透孔７が形成された収納容器本体８と、この収納容器本体８の開口部６を開閉する開閉蓋９と、この開閉蓋９の閉状態を保持する係止具１０とで構成されている。
【００１５】
上記構成の治療用ベルト１は収納容器２の開閉蓋９を開放し、冷やす場合には開口部６より収納容器本体８内に保冷剤１１を収納し、開閉蓋９を閉じた後、ベルト５で冷やしたい手や足部位に収納容器２の底面が位置するように取付けて使用する。
この時、収納容器本体８の底面と保冷剤１１との間にガーゼや布を必要に応じて配置することにより、手や足の肌に加わる冷気の温度調整を行なうことができる。
なお、前記保冷剤１１は冷凍庫で冷凍されたものや、使用時に水と混合させる簡易保冷剤等が使用される。
また、手や足を保温する場合には、前述と同様に収納容器本体８内に酸化鉄を用いた簡易カイロ等の保温剤を収納して使用する。
[発明を実施するための異なる形態]
【００１６】
次に、図６ないし図１４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図６ないし図８に示す本発明を実施するための第２の形態において、前記本発明を実施するための最良の第１の形態と主に異なる点は、底面に開口部６Ａが形成された収納容器２Ａを用いた点で、このような収納容器２Ａを用いて構成した治療用ベルト１Ａにしても、前記本発明を実施するための最良の第１の形態と同様な作用効果が得られる。
【００１８】
図９ないし図１１に示す本発明を実施するための第３の形態において、前記本発明を実施するための最良の第１の形態と主に異なる点は、収納容器２の一端部に一端部が取付けられ、長さ調整可能な取付け金具１２が取付けられた他端部を収納容器２の他端部に着脱可能に取付けられた伸縮ベルトやゴムベルト等のベルト５Ａを用いた点で、このようなベルト５Ａを用いて構成した治療用ベルト１Ｂにしても、前記本発明を実施するための最良の第１の形態と同様な作用効果が得られる。
【００１９】
図１２ないし図１４に示す本発明を実施するための第４の形態において、前記本発明を実施するための最良の第１の形態と主に異なる点は、収納容器本体８の内底面にスライド移動可能に取付けられた底面の複数個の透孔７を開閉可能な複数個の透孔１３が形成されたスライド板１４と、このスライド板１４が位置する部位の前記収納容器本体８の側面に形成されたガイド孔１５と、このガイド孔１５をスライド移動する前記スライド板１４に固定された先端部が収納容器本体８の側面より外方へ突出する操作片１６とからなる収納容器２Ｂを用いた点で、このような収納容器２Ｂを用いて構成した治療用ベルト１Ｃにしても、前記本発明を実施するための最良の第１の形態と同様な作用効果が得られるとともに、スライド板１４のスライド移動によって、容易に温度調整を行なうことができる。
【産業上の利用可能性】
【００２０】
本発明は手や足の患部を冷やしたり、温めたりする治療用ベルトを製造する産業で利用される。
【図面の簡単な説明】
【００２１】
【図１】本発明を実施するための最良の第１の形態の使用状態の説明図。
【図２】本発明を実施するための最良の第１の形態の平面図。
【図３】図２の３−３線に沿う断面図。
【図４】本発明を実施するための最良の第１の形態の収納容器の説明図。
【図５】本発明を実施するための最良の第１の形態の使用状態の説明図。
【図６】本発明を実施するための第２の形態の使用状態の説明図。
【図７】本発明を実施するための第２の形態の平面図。
【図８】図７の８−８線に沿う断面図。
【図９】本発明を実施するための第３の形態の平面図。
【図１０】図９の１０−１０線に沿う断面図。
【図１１】本発明を実施するための第３の形態のベルトの説明図。
【図１２】本発明を実施するための第４の形態の平面図。
【図１３】図１２の１３−１３線に沿う断面図。
【図１４】本発明を実施するための第４の形態の収納容器の説明図。
【符号の説明】
【００２２】
１、１Ａ、１Ｂ、１Ｃ：治療用ベルト、
２、２Ａ、２Ｂ：収納容器、        ３：係止具、
４：係止片、                                                ５、５Ａ：ベルト、            
６、６Ａ：開口部、                                    ７：透孔、
８：収納容器本体、                                    ９：開閉蓋、
１０：係止具、                                １１：保冷剤、
１２：取付け金具、                                    １３：透孔、
１４：スライド板、                                    １５：ガイド孔、
１６：操作片。
【図１】
2008055081.tif 000003
【図２】
2008055081.tif 000004
【図３】
2008055081.tif 000005
【図４】
2008055081.tif 000006
【図５】
2008055081.tif 000007
【図６】
2008055081.tif 000008
【図７】
2008055081.tif 000009
【図８】
2008055081.tif 000010
【図９】
2008055081.tif 000011
【図１０】
2008055081.tif 000012
【図１１】
2008055081.tif 000013
【図１２】
2008055081.tif 000014
【図１３】
2008055081.tif 000015
【図１４】
2008055081.tif 000016